(57)【特許請求の範囲】
【請求項１】
画情報を伝送する画像電送装置において、
ＩＴＵ−Ｔ  Ｔ．３０バイナリファイル転送手順を実行するファイル転送手段と、
１または複数の宛先情報を記憶する宛先情報メモリと、
受信した転送先情報を記憶する転送先情報メモリと、
画情報を蓄積する画情報メモリと、を有し、
送信元としての送信時に、画情報を相手装置に送信するとともに、予め設定されている転送先情報と転送指示情報と同報送信指示情報とをＩＴＵ−Ｔ  Ｔ．３０バイナリファイル転送手順によって前記相手装置に伝送する機能と、
受信時に、ＩＴＵ−Ｔ  Ｔ．３０バイナリファイル転送手順により受信した前記転送先情報、前記転送指示情報及び前記同報送信指示情報を認識し、受信した転送先情報を前記転送先情報メモリに記憶させる機能と、
受信時に前記転送指示情報を認識した場合に、前記転送先情報メモリに記憶された転送先情報を読み出して、読み出した転送先情報のうち未送信の転送先の１つに、前記画情報メモリに蓄積された画情報を送信するとともに、ＩＴＵ−Ｔ  Ｔ．３０バイナリファイル転送手順によって、前記読み出された転送先情報と前記転送指示情報とを送信する機能と、
受信時に前記同報送信指示情報を認識した場合に、前記宛先情報メモリに記憶された宛先に対して前記転送先情報は送信せずに前記画情報メモリに蓄積された画情報を送信する機能と、を備えることを特徴とする、画像電送装置。
【請求項２】
請求項１に記載の画像電送装置において、
受信した送信元アドレス情報を記憶する送信元アドレス情報メモリを有し、
送信元としての送信時に、ＩＴＵ−Ｔ  Ｔ．３０バイナリファイル転送によって、送信元アドレス情報として自己の電話番号を相手装置に送信する機能と、
受信時に、前記送信元アドレス情報を認識して前記送信元アドレス情報メモリに記憶させる機能と、
前記転送先情報で指定される転送先に対して画情報が送信できたか否かを確認できる送達確認情報を伝送する機能と、
受信時に前記転送指示情報を認識して前記転送先情報メモリに記憶された転送先情報を読み出した時に、その転送先情報に未送信の転送先が含まれない場合には、前記送信元アドレス情報メモリから前記送信元アドレス情報を読み出して、その送信元アドレス情報が指定する電話番号に対して前記送達確認情報を伝送する機能と、を備えることを特徴とする画像電送装置。
【請求項３】
請求項１に記載の画像電送装置において、
受信した送信元アドレス情報を記憶する送信元アドレス情報メモリを有し、
送信元としての送信時に、ＩＴＵ−Ｔ  Ｔ．３０バイナリファイル転送によって、送信元アドレス情報として自己の電話番号を相手装置に送信する機能と、
受信時に、前記送信元アドレス情報を認識して前記送信元アドレス情報メモリに記憶させる機能と、
前記宛先情報メモリに記憶された宛先情報によって指定される宛先に対して画情報が送信できたか否かを確認できる同報確認情報を伝送する機能と、
受信時に前記宛先情報メモリに記憶された宛先情報によって指定された全ての宛先に対して画情報の送信を試みた後に、前記送信元アドレス情報メモリから前記送信元アドレス情報を読み出して、その送信元アドレス情報が指定する電話番号に対して前記同報確認情報を伝送する機能と、を備えることを特徴とする画像電送装置。
【請求項４】
請求項１に記載の画像電送装置において、
前記宛先情報メモリが初期設定された転送先情報を記憶する機能も有し、
送信元としての送信時に前記宛先情報メモリに記憶された転送先情報を読み出して、安価な通信コストで転送されるように転送先情報を並び替える転送先順序管理部を有することを特徴とする画像電送装置。
【請求項５】
画情報を伝送する画像電送装置において、
ＩＴＵ−Ｔ  Ｔ．３０バイナリファイル転送手順を実行するファイル転送手段と、
受信した転送先情報及び同報宛先情報を記憶する送信先情報メモリと、
画情報を蓄積する画情報メモリと、を有し、
送信元としての送信時に、画情報を相手装置に送信するとともに、１または複数の電話番号からなる転送先情報と、前記転送先情報内の電話番号ごとに対応させた１または複数の電話番号からなる同報宛先情報と、転送指示情報と、同報送信指示情報とをＩＴＵ−Ｔ  Ｔ．３０バイナリファイル転送手順によって前記相手装置に伝送する機能と、
受信時に、ＩＴＵ−Ｔ  Ｔ．３０バイナリファイル転送手順により受信した前記転送先情報、前記同報宛先情報、前記転送指示情報及び前記同報送信指示情報を認識し、受信した転送先情報及び同報宛先情報を前記送信先情報メモリに記憶する機能と、
受信時に前記転送指示情報を認識した場合に、前記送信先情報メモリに記憶された転送先情報を読み出して、読み出した転送先情報のうち未送信の転送先の１つに、前記画情報メモリに格納された画情報を送信するとともに、ＩＴＵ−Ｔ  Ｔ．３０バイナリファイル転送手順によって、読み出された転送先情報と前記送信先情報メモリから読み出される同報宛先情報と前記転送指示情報とを送信する機能と、
受信時に前記同報送信指示情報を認識した場合に、前記送信先情報メモリに記憶された同報宛先情報を読み出して、読み出した同報宛先情報のうち自己の電話番号に対応した宛先に対して前記転送先情報は送信せずに前記画情報メモリに蓄積された画情報を送信する機能と、を備えることを特徴とする画像電送装置。
【請求項６】
請求項５に記載の画像電送装置において、
受信した送信元アドレス情報を記憶する送信元アドレス情報メモリを有し、
送信元としての送信時に、ＩＴＵ−Ｔ  Ｔ．３０バイナリファイル転送によって、送信元アドレス情報として自己の電話番号を相手装置に送信する機能と、
受信時に、前記送信元アドレス情報を認識して前記送信元アドレス情報メモリに記憶させる機能と、
前記転送先情報で指定される転送先に対して画情報が送信できたか否かを確認できる送達確認情報を伝送する機能と、
受信時に前記転送指示情報を認識して前記送信先情報メモリに記憶された転送先情報を読み出した時に、その転送先情報に未送信の転送先が含まれない場合には、前記送信元アドレス情報メモリから前記送信元アドレス情報を読み出して、その送信元アドレス情報が指定する電話番号に対して前記送達確認情報を伝送する機能と、を備えることを特徴とする画像電送装置。
【請求項７】
請求項５に記載の画像電送装置において、
受信した送信元アドレス情報を記憶する送信元アドレス情報メモリを有し、
送信元としての送信時に、ＩＴＵ−Ｔ  Ｔ．３０バイナリファイル転送によって、送信元アドレス情報として自己の電話番号を相手装置に送信する機能と、
受信時に、前記送信元アドレス情報を認識して前記送信元アドレス情報メモリに記憶させる機能と、
前記送信先情報メモリに記憶された同報宛先情報によって指定される宛先に対して画情報が送信できたか否かを確認できる同報確認情報を伝送する機能と、
受信時に前記送信先情報メモリに記憶された宛先のうち自己の電話番号に対応する宛先の全てに対して画情報の送信を試みた後に、前記送信元アドレス情報メモリから前記送信元アドレス情報を読み出して、その送信元アドレス情報が指定する電話番号に対して前記同報確認情報を伝送する機能と、をさらに備えることを特徴とする画像電送装置。
【発明の詳細な説明】
【０００１】
【発明の属する技術分野】
本発明は、通信網に接続される画像電送装置に関し、特に、同一の画情報を複数の宛先に送信することができる画像電送装置に関する。
【０００２】
【従来の技術】
ファクシミリ装置などの画像電送装置を利用して、１つの画情報を１カ所の送信元から複数の宛先に送信する方法（同報送信方法）として、以下に示すようなものがある。なお、図１〜図３では、画情報（及び宛先情報）の流れを矢印で示している
（１）順次同報送信：
図１は、順次同報送信を説明する図である。国際電気通信連合（ＩＴＵ）の勧告ＩＴＵ−Ｔ  Ｔ．３０等に規定されたファクシミリ伝送手順によって、通信網に接続された送信元の画像電送装置９０１に画情報を一旦蓄積し、通信網を介して複数の宛先の装置９０２に対して順番に画情報を送信する。
【０００３】
（２）中継同報送信：
図２に示すように、通信網内に中継装置９０３を配置し、送信元の画像電送装置９０１及び中継装置９０３に、ＩＴＵ−Ｔ  Ｔ．３０等に規定されたファクシミリ伝送手順以外に宛先情報を伝送可能とする手段を別途設けることによって、送信元の装置９０１から中継装置９０３に画情報及び宛先情報を送信して中継装置９０３に画情報及び宛先情報を受信させて一旦蓄積させ、蓄積後、中継装置９０３が、受信した宛先情報に基づいて順番に画情報を宛先の装置９０２に送信するようにする。これにより、順次同報送信に比べて、送信元の装置９０１が画像伝送のために占有される時間が短縮される。また、宛先が遠方の特定の地域に集中している場合には、その地域内または近接して中継装置９０３を配置することにより、通信コストの大幅な削減を図れる。
【０００４】
この中継同報送信の発展形として、図３に示すように、複数の中継装置９０３を分散して設置し、送信元の装置９０１から全ての中継装置９０３にそれぞれ画情報及び宛先情報を送信し、それぞれの中継装置９０３が、受信した宛先情報で指定された装置９０２に対して受信した画情報を送信することにより、送信元での通信コスト、通信占有時間を他装置に分割することが可能となる構成のものがある。各地域に対応して中継装置９０３を配置することにより、全体の通信コストの削減も可能になる。
【０００５】
【発明が解決しようとする課題】
しかしながら、上述した従来の順次同報送信の方法においては、送信元が全ての宛先に対して画情報を送信するため、通信コストが送信元１カ所に集中し、特に、宛先が全て遠方の場合（遠距離市外通話を必要とする場合、さらには外国に宛先がある場合）には多大な通信コストを送信元が負担しなければならない、また、連絡時間中は回線が占有されるため、他の通信を行うことができないという問題点があった。
【０００６】
また、図２に示す中継同報送信の場合、中継装置が送信元に変わって全ての宛先に対して送信するため、基本的に１カ所に通信コスト及び通信占有時間が集中することに代わりがない。また、２つ以上の離れた地域に連絡する場合は、中継装置での通信コストが増加するという問題点があった。
【０００７】
図３に示す同報送信方法は、２つ以上の離れた地域に連絡先が分散している場合の中継装置での通信コストの問題点を補うものであって、地域ごとに中継装置を設置している。このため、通信コストが安価な連絡網が構成でき、かつ通信コスト及び通信占有時間が中継装置の数だけ分散されるものの、地域の数（中継装置の数）が多数ある場合には送信元が全ての中継装置にそれぞれ画情報と宛先情報を送信する必要があるため、地域の数が増加すればするほど、送信元での通信コスト及び通信占有時間が増加してしまうという問題点がある。また、一部の宛先に変更があった場合には、送信元でいちいち宛先情報を変更する必要がある。
【０００８】
さらに、上述した図２や図３に示す中継同報送信では、宛先情報を伝送するために、ＩＴＵ−Ｔ  Ｔ．３０のファクシミリ伝送手順以外の特殊な伝送手順が必要であり、装置のインプリメントが複雑になりかつ装置コストがかかるという問題点があった。
【０００９】
本発明の目的は、分散配置された中継装置の数が多い場合であっても、特別の手順をインプリメントすることなく、送信元の装置はただの１ヵ所のみに発呼して画情報と宛先情報を送信するだけでよく、送信元での通信コスト及び通信占有時間を激減させることができ、さらに、全体としての通信コストも削減できる画像電送装置を提供することにある。
【００１０】
【課題を解決するための手段】
本発明の第１の画像電送装置は、画情報を伝送する画像電送装置において、ＩＴＵ−Ｔ  Ｔ．３０バイナリファイル転送手順を実行するファイル転送手段と、１または複数の宛先情報を記憶する宛先情報メモリと、受信した転送先情報を記憶する転送先情報メモリと、画情報を蓄積する画情報メモリと、を有し、送信元としての送信時に、画情報を相手装置に送信するとともに、予め設定されている転送先情報と転送指示情報と同報送信指示情報とをＩＴＵ−Ｔ  Ｔ．３０バイナリファイル転送手順によって相手装置に伝送する機能と、受信時に、ＩＴＵ−ＴＴ．３０バイナリファイル転送手順により受信した転送先情報、転送指示情報及び同報送信指示情報を認識し、受信した転送先情報を転送先情報メモリに記憶させる機能と、受信時に転送指示情報を認識した場合に、転送先情報メモリに記憶された転送先情報を読み出して、読み出した転送先情報のうち未送信の転送先の１つに、画情報メモリに蓄積された画情報を送信するとともに、ＩＴＵ−Ｔ  Ｔ．３０バイナリファイル転送手順によって、読み出された転送先情報と転送指示情報とを送信する機能と、受信時に同報送信指示情報を認識した場合に、宛先情報メモリに記憶された宛先に対して転送先情報は送信せずに画情報メモリに蓄積された画情報を送信する機能と、を備えることを特徴とする。
【００１１】
上述した本発明の第１の画像電送装置においては、受信した送信元アドレス情報を記憶する送信元アドレス情報メモリをさらに設けるとともに、送信元としての送信時に、ＩＴＵ−Ｔ  Ｔ．３０バイナリファイル転送によって、送信元アドレス情報として自己の電話番号を相手装置に送信する機能と、受信時に、送信元アドレス情報を認識して送信元アドレス情報メモリに記憶させる機能と、転送先情報で指定される転送先に対して画情報が送信できたか否かを確認できる送達確認情報を伝送する機能と、受信時に転送指示情報を認識して転送先情報メモリに記憶された転送先情報を読み出した時に、その転送先情報に未送信の転送先が含まれない場合には、送信元アドレス情報メモリから送信元アドレス情報を読み出して、その送信元アドレス情報が指定する電話番号に対して送達確認情報を伝送する機能と、を備えるようにしてもよい。このように構成することにより、送信元は、画情報の送達確認を容易に行うことができるようになる。
【００１２】
また、上述した本発明の第１の画像電送装置においては、受信した送信元アドレス情報を記憶する送信元アドレス情報メモリをさらに設けるとともに、送信元としての送信時に、ＩＴＵ−Ｔ  Ｔ．３０バイナリファイル転送によって、送信元アドレス情報として自己の電話番号を相手装置に送信する機能と、受信時に、送信元アドレス情報を認識して送信元アドレス情報メモリに記憶させる機能と、宛先情報メモリに記憶された宛先情報によって指定される宛先に対して画情報が送信できたか否かを確認できる同報確認情報を伝送する機能と、受信時に宛先情報メモリに記憶された宛先情報によって指定された全ての宛先に対して画情報の送信を試みた後に、送信元アドレス情報メモリから送信元アドレス情報を読み出して、その送信元アドレス情報が指定する電話番号に対して同報確認情報を伝送する機能と、を備えるようにしてもよい。このように構成することにより、送信元は、画情報の送達確認を容易に行うことができるようになる。
【００１３】
さらに、上述した本発明の第１の画像電送装置においては、宛先情報メモリが初期設定された転送先情報を記憶する機能も有するようにするとともに、送信元としての送信時に宛先情報メモリに記憶された転送先情報を読み出して、安価な通信コストで転送されるように転送先情報を並び替える転送先順序管理部を設けるようにしてもよい。このように構成すれば、利用者（発信者）が転送先の順序を気にすることなく、自動的に安価な通信コストで転送されるようなルートが設定されるという利点が生じる。
【００１４】
本発明の第２の画像電送装置は、画情報を伝送する画像電送装置において、ＩＴＵ−Ｔ  Ｔ．３０バイナリファイル転送手順を実行するファイル転送手段と、受信した転送先情報及び同報宛先情報を記憶する送信先情報メモリと、画情報を蓄積する画情報メモリと、を有し、送信元としての送信時に、画情報を相手装置に送信するとともに、１または複数の電話番号からなる転送先情報と、転送先情報内の電話番号ごとに対応させた１または複数の電話番号からなる同報宛先情報と、転送指示情報と、同報送信指示情報とをＩＴＵ−Ｔ  Ｔ．３０バイナリファイル転送手順によって相手装置に伝送する機能と、受信時に、ＩＴＵ−Ｔ  Ｔ．３０バイナリファイル転送手順により受信した転送先情報、同報宛先情報、転送指示情報及び同報送信指示情報を認識し、受信した転送先情報及び同報宛先情報を送信先情報メモリに記憶する機能と、受信時に転送指示情報を認識した場合に、送信先情報メモリに記憶された転送先情報を読み出して、読み出した転送先情報のうち未送信の転送先の１つに、画情報メモリに格納された画情報を送信するとともに、ＩＴＵ−Ｔ  Ｔ．３０バイナリファイル転送手順によって、読み出された転送先情報と送信先情報メモリから読み出される同報宛先情報と転送指示情報とを送信する機能と、受信時に同報送信指示情報を認識した場合に、送信先情報メモリに記憶された同報宛先情報を読み出して、読み出した同報宛先情報のうち自己の電話番号に対応した宛先に対して転送先情報は送信せずに画情報メモリに蓄積された画情報を送信する機能と、を備えることを特徴とする。
【００１５】
本発明の第２の画像電送装置においては、受信した送信元アドレス情報を記憶する送信元アドレス情報メモリをさらに設けるとともに、送信元としての送信時に、ＩＴＵ−Ｔ  Ｔ．３０バイナリファイル転送によって、送信元アドレス情報として自己の電話番号を相手装置に送信する機能と、受信時に、送信元アドレス情報を認識して送信元アドレス情報メモリに記憶させる機能と、転送先情報で指定される転送先に対して画情報が送信できたか否かを確認できる送達確認情報を伝送する機能と、受信時に転送指示情報を認識して送信先情報メモリに記憶された転送先情報を読み出した時に、その転送先情報に未送信の転送先が含まれない場合には、送信元アドレス情報メモリから送信元アドレス情報を読み出して、その送信元アドレス情報が指定する電話番号に対して送達確認情報を伝送する機能と、を備えるようにしてもよい。このように構成することにより、送信元は、画情報の送達確認を容易に行うことができるようになる。
【００１６】
また本発明の第２の画像電送装置においては、受信した送信元アドレス情報を記憶する送信元アドレス情報メモリをさらに設けるとともに、送信元としての送信時に、ＩＴＵ−Ｔ  Ｔ．３０バイナリファイル転送によって、送信元アドレス情報として自己の電話番号を相手装置に送信する機能と、受信時に、送信元アドレス情報を認識して送信元アドレス情報メモリに記憶させる機能と、送信先情報メモリに記憶された同報宛先情報によって指定される宛先に対して画情報が送信できたか否かを確認できる同報確認情報を伝送する機能と、受信時に送信先情報メモリに記憶された宛先のうち自己の電話番号に対応する宛先の全てに対して画情報の送信を試みた後に、送信元アドレス情報メモリから送信元アドレス情報を読み出して、その送信元アドレス情報が指定する電話番号に対して同報確認情報を伝送する機能と、をさらに備えるようにしてもよい。このように構成することにより、送信元は、画情報の送達確認を容易に行うことができるようになる。
【００１７】
Ｇ３ファクシミリの伝送手順を定めたＩＴＵの勧告ＩＴＵ−Ｔ  Ｔ．３０は、オプション機能として、バイナリファイル転送（ＢＦＴ；ｂｉｎａｒｙ  ｆｉｌｅ  ｔｒａｎｓｆｅｒ）を規定している。本発明では、このバイナリファイル転送を使用して、同報通信に必要な宛先情報などの伝達を行っている。
【００１８】
すなわち本発明の画像電送装置は、上述した従来技術の問題点を補うものであって、中継装置の数がいくら増加しても送信元はただの１カ所にのみ発呼して画情報と宛先情報を送信すればよいため、送信元の通信コスト及び通信占有時間が激減する。これにより、頻繁に通信の割り込みが発生するような事業所等が送信元であっても、本発明の画像電送装置を安心して利用することが可能である。また、宛先情報等をＩＴＵ−Ｔ  Ｔ．３０バイナリファイル転送によって送信するため、ファクシミリを伝送するための規定であるＩＴＵ−Ｔ  Ｔ．３０に準拠した伝送手段を搭載していれば、容易にインプリメント可能でかつ装置コストも抑えることが可能である。
【００１９】
【発明の実施の形態】
次に、本発明の好ましい実施の形態について、図面を参照して説明する。
【００２０】
《第１の実施形態》
図４は、本発明の第１の実施形態の画像電送装置である通信装置の構成を示すブロック図である。
【００２１】
この通信装置は、ファクシミリ装置として構成されており、通信網に接続され、発信・着信等の呼制御を行う回線インタフェース１と、通信網を介して他の通信装置との間でＩＴＵ−Ｔ  Ｔ．３０に準拠した伝送手順により、ＩＴ  Ｕ−ＴＴ．４やＴ．６に準拠した画情報の送受信やＩＴＵ−Ｔ  Ｔ．３０バイナリファイル転送手順によりファイル情報の送受信を行うモデム２と、宛先の登録や各種操作等を行うキー３と、原稿を読み取ってＩＴＵ−Ｔ  Ｔ．４やＴ．６の符号化方式に準拠した画情報に変換する読取部４と、画情報を蓄積する第１のメモリ５と、転送先電話番号や同報送信先電話番号を記憶する第２のメモリ６と、モデム２を介して受信した転送先情報を記憶する第３のメモリ７と、画情報を復号した上で記録紙に記録する記録部８と、モデム２を制御してＩＴＵ−Ｔ  Ｔ．３０バイナリファイル転送手順の制御を行うＢＦＴ（ｂｉｎａｒｙ  ｆｉｌｅ  ｔｒａｎｓｆｅｒ）制御部９と、回線インタフェース１、モデム２、読取部４、第１のメモリ５、第２のメモリ６、第３のメモリ７、記録部８及びＢＦＴ制御部９を制御する制御回路１０と、から構成されている。
【００２２】
第１のメモリ５は、請求項１乃至４における画情報メモリに相当し、同様に、第２のメモリ６は、宛先情報メモリに相当し、第３のメモリ７は、転送先情報メモリに相当し、ＢＦＴ制御部９は、ファイル転送手段に相当する。
【００２３】
ここで、回線インタフェース１には、通信網にオフフックを知らせるための直流ループ閉結、ＤＰ（ダイヤルパルス）やＰＢ（プッシュボタン）等の選択信号の送出、通信網からの着信信号の検出、送話信号や受信信号の増幅、２線−４線変換等の機能が必要であり、回線インタフェース１は、従来のアナログ電話機と同様に、ＬＳＩ（大規模集積回路）、トランジスタ、抵抗、コンデンサ、トランス等により構成できる。モデム２は、ＦＡＸ（ファックス）モデム用のＬＳＩ等で構成できる。キー３は、ボタンやスイッチ等で構成できる。読取部４は、従来のファクシミリやデジタル複写機等と同様に、ＣＣＤ（電荷結合素子）イメージセンサや密着形イメージセンサと、これらの周辺部品から構成できる。
【００２４】
第１のメモリ５、第２のメモリ６及び第３のメモリ７は、ＲＡＭ（ランダムアクセスメモリ）やフラッシュメモリ等の半導体メモリあるいはハードディスク等の磁気記憶装置等により構成できる。ここでは、蓄積あるいは記憶すべき情報の内容に応じて第１のメモリ５、第２のメモリ６及び第３のメモリ７と分けているが、当然のことながら、これらメモリ５〜７を同一の部品（メモリＬＳＩなど）によって構成することもできる。
【００２５】
記録部８は、従来のファクシミリや複写機等と同様に、感光体、現像器、定着器、トナー等による電子写真記録方式等により構成できる。ＢＦＴ制御部９は、ＤＳＰ（デジタル信号プロセッサ：ｄｉｇｉｔａｌ  ｓｉｇｎａｌ  ｐｒｏｃｅｓｓｏｒ）及びＲＡＭ，ＲＯＭ（読み出し専用メモリ）等のＬＳＩにより構成できる。制御回路１０は、ＣＰＵ（中央処理装置）とＲＡＭとＲＯＭ等のＬＳＩにより構成できる。
【００２６】
また、これらの構成要素の中の複数の回路及び手段を１つのＬＳＩにまとめて構成できることはいうまでもない。
【００２７】
図５は、この実施形態での送信元からの画情報の伝達の流れを矢印で示したものである。ここでは、図４に示した構成の通信装置１１〜１４と通常のファクシミリ装置１０１〜１０６が設けられている。このうち、通信装置１１は、送信元の装置であり、通信装置１２〜１４が中継装置に相当し、ファクシミリ装置１０１〜１０６は、宛先の装置である。
【００２８】
ここで、送信元の通信装置１１の第２のメモリ６には、予め転送先情報として、通信装置１２〜１４の電話番号を記憶させておく。また、通信装置１２の第２のメモリ６には、同報送信先として、ファクシミリ１０１，１０２の電話番号が、通信装置１３の第２のメモリ６には、同報送信先として、ファクシミリ１０３，１０４の電話番号が、通信装置１４の第２のメモリ６には、同報送信先として、ファクシミリ１０５，１０６の電話番号が、それぞれ格納されている。
【００２９】
次に、本実施形態の動作を説明する。図６〜図８は、制御回路１０の動作を示すフローチャートである。なお、各通信装置１１〜１４には同一の制御回路１０が実装されているので、図６〜図８に示す全ての動作を実現できるように各制御回路１０の制御ロジックを構成しなければならないが、ここでは、図６〜図８のフローチャートを説明するにあたり、通信装置ごとにその通信装置に実際に関係する動作のみを説明する（以下の図１３〜図１６、図１８〜図２１、図２６〜図２８についても同様である）。
【００３０】
（１）送信元（通信装置１１）の動作：
利用者（発信者）がキー３を操作して画情報の連絡指示を行うと、キー３はその旨を制御回路１０に通知する（ステップＳ１）。制御回路１０は、キー３から連絡指示の通知があると（ステップＳ３）、読取部４を制御してセットされた原稿を読み込んで画情報に変換するとともに、第２のメモリ６から転送先の電話番号（ここでは通信装置１２〜１４の電話番号情報）を読み出して１宛先を選択し（ここでは通信装置１２）、回線インタフェース１を制御して発呼する（ステップＳ４）。
【００３１】
相手応答後、制御回路１０はモデム２及びＢＦＴ制御部９を制御して、選択した通信装置に対し、ＩＴＵ−Ｔ  Ｔ．３０バイナリファイル転送手順によって転送・同報指示情報と転送先電話番号情報とを送信するとともに、画情報を送信する（ステップＳ５）。そして、回線インタフェース１を制御して通信を切断し（ステップＳ６）、ステップＳ１に戻る。
【００３２】
（２）転送先（通信装置１２〜１４）の動作：
回線インタフェース１は網からの着信を検出すると（ステップＳ２）、制御回路１０にその旨を通知する。制御回路１０は、回線インタフェース１からの着信通知に対して、回線インタフェース１を制御して応答し（ステップＳ７）、モデム２及びＢＦＴ制御部９を制御して転送・同報指示情報及び転送先電話番号情報を受信すると（ステップＳ８）、転送先電話番号情報を一旦第３のメモリ７に記憶するとともに（ステップＳ９）、続けて受信する画情報を第１のメモリ５に蓄積する（ステップＳ１０）。ちなみに、ステップＳ８において転送・同報指示情報及び転送先電話番号情報を受信せず、通常のファクシミリ装置から着信したと判断した場合は、ＩＴＵ−Ｔ  Ｔ．３０に準拠した伝送手順で受信動作に入り（ステップＳ１６）、その後、ステップＳ１に戻ればよい。
【００３３】
ステップＳ１０での画情報の蓄積後、回線インタフェース１を介して通信を切断し（ステップＳ１１）、通信終了後、第３のメモリ７から先に記憶した転送先電話番号情報を読み出して（ここでは通信装置１２〜１４の電話番号情報）、自己の電話番号を送信済みと認識できるように情報を加工した上で（ステップＳ１２）、未送信の転送先電話番号があるか否かを確認し（ステップＳ１３）、あれば未送信の１宛先を選択して（ここでは通信装置１３）、回線インタフェース１を制御して発呼する（ステップＳ１４）。実際には、転送先電話番号情報は、各通信装置の電話番号を列挙したリスト形式のものであり、このリストの該当する電話番号に、送信ずみであることを示すフラグを立てることによって、送信済みと認識できるようになる。発信時には、リストのうち、フラグが立っていない最初の電話番号に対して発呼するようにする。
【００３４】
相手応答後、モデム２及びＢＦＴ制御部９を制御して、ＩＴＵ−Ｔ  Ｔ．３０バイナリファイル転送手順によって転送・同報指示情報と転送先電話番号情報を送信するとともに、第１のメモリ５に蓄積された画情報を送信する（ステップＳ１５）。
【００３５】
ステップＳ１５での送信の終了後、またはステップＳ１３で未送信の転送先電話番号がない場合（ここでは通信装置１４があてはまる）、第２のメモリ６に記憶された同報送信先（ここではファクシミリ装置１０１，１０２の電話番号）を読み出して（ステップＳ１７）、未送信の同報送信先の電話番号があるかどうかを確認し（ステップＳ１８）、ある場合には未送信の１宛先を選択して回線インタフェース１を制御して発呼し（ステップＳ１９）、相手応答後に第１のメモリ５に蓄積された画情報を読み出して送信する（ステップＳ２０）。ここでは相手先が通常のファクシミリ装置であることを想定し、ＩＴＵ−Ｔ  Ｔ．３０のファクシミリ伝送手順によって画情報を送信する。送信終了後、回線インタフェース１を介して通信を切断し（ステップＳ２１）、ステップＳ１８に戻る。
【００３６】
ステップＳ１９〜Ｓ２１までの処理を、ステップＳ１８で未送信の同報送信先の電話番号がなくなるまで繰り返し、これにより、全ての未送信の同報送信先に対して発呼を試みて画情報を送信する。
【００３７】
同報送信終了後、すなわち、ステップＳ１８において未送信の同報送信先の電話番号がなくなったら、ステップＳ１に戻る。その後、第１のメモリ５に蓄積された画情報を読み出して、記録部８を制御して記録紙に記録させることによって受信文書を出力することが可能である。
【００３８】
次に、ＩＴＵ−Ｔ  Ｔ．３０バイナリファイル転送手順による転送先情報や転送・同報指示情報の伝送について、図９及び図１０を用いて説明する。
【００３９】
図９は、ＩＴＵ−Ｔ  Ｔ．３０のバイナリファイル転送を利用した伝送方法を説明するシーケンス図である。
【００４０】
受信側は、バイナリファイル転送を行う能力があるものとする。送信側と受信側との間でＣＮＧ（呼出信号）及びＣＥＤ（被呼端末識別信号）を送受して呼設定が行われると、フェーズＢ（プリメッセージ手順）において、受信側から送信側に、ビット５３が“１”に設定されてバイナリファイル転送能力を有することを示すＤＩＳ（デジタル識別信号）が送られ、続いて、送信側から受信側に、同じくビット５３が“１”に設定されてバイナリファイル転送を行う旨を示すＤＣＳ（デジタル命令信号）が通知される。その後、送信側から受信側にＴＣＦ（トレーニングチェック）が送られ、受信側から送信側にＣＦＲ（受信準備確認）が送られ、バイナリファイル転送を行うフェーズＣに移行する。
【００４１】
フェーズＣにおいては、図１０（ａ）に示すようなフォーマット、すなわち、ＩＴＵ−Ｔ  Ｔ．４３４に準拠したＢＦＴヘッダ部と、それに引き続く転送・同報指示情報及び転送先電話番号情報とからなるフォーマットのバイナリファイルが送信される。ここで、ＩＴＵ−Ｔ．３０に規定された非標準手順（ＮＳＦ（非標準機能），ＮＳＳ（非標準機能設定））を利用してもよいことはいうまでもない。なお、画情報については、各種情報伝送の後、通常のＩＴＵ−Ｔ  Ｔ．３０伝送手順で送信してもよいし、画情報自体をＩＴＵ−Ｔ  Ｔ．３０バイナリファイル転送方法で転送してもよい。
【００４２】
フェーズＣでのバイナリファイル転送が終了したら、送信側から受信側にＰＰＳ−ＭＰＳ（部分ページ信号−複数ページ信号）あるいはＰＰＳ−ＥＯＰ（部分ページ信号−手順終了）を通知し、受信側から送信側にＭＣＦ（メッセージ確認）を通知し、送信側から受信側にＤＣＮ（切断命令）を通知して、通信切断となる。
【００４３】
《第２の実施形態》
次に、本発明の第２の実施形態について説明する。図１１は、第２の実施形態の通信装置である画像電送装置の構成を示すブロック図である。
【００４４】
この画像電送装置は、図４に示したものと同様の構成のものであるが、受信した送信元アドレス情報を格納するための第４のメモリ６１が設けられているともに、送達確認情報も送受される点で、図４に示したものと相違している。この第４のメモリ６１も、制御回路１０の制御下にある。第４のメモリ６１は、ＲＡＭやフラッシュメモリ等の半導体メモリあるいはハードディスク等の磁気記憶装置等により構成でき、また、第１のメモリ５、第２のメモリ６や第３のメモリ７と同一の部品によって構成してもよい。
【００４５】
なお、第４のメモリ６１は、請求項２、３における送信元アドレス情報メモリに相当する。
【００４６】
図１２は、この実施形態での送信元からの画情報（実線の矢印）や送達確認情報（破線の矢印）の伝達の流れを示したものである。ここでは、図１１に示した構成の通信装置２１〜２４と通常のファクシミリ装置２０１〜２０６が設けられている。このうち、通信装置２１は、送信元の装置であり、通信装置２２〜２４が中継装置に相当し、ファクシミリ装置２０１〜２０６は、宛先の装置である。
【００４７】
なお、送信元である通信装置２１の第２のメモリ６には、予め転送先情報として、通信装置２２〜２４の電話番号及び自己の電話番号（ここでは通信装置２１の電話番号）を記憶させておく。また、通信装置２２の第２のメモリ６には、同報送信先として、ファクシミリ装置２０１，２０２の電話番号が、通信装置２３の第２のメモリ６には、同報送信先として、ファクシミリ装置２０３，２０４の電話番号が、通信装置２４の第２のメモリ６には、同報送信先として、ファクシミリ２０５，２０６の電話番号が、それぞれ記憶されている。
【００４８】
以下、図１２〜図１５に示すフローチャートを用いて、この実施形態における制御回路１０の動作を説明する。
【００４９】
（１）送信元（通信装置２１）の発呼動作：
利用者（発信者）がキー３を操作して画情報の連絡指示を行うと、キー３はその旨を制御回路１０に通知する（ステップＳ３１）。制御回路１０はキー３からの連絡指示の通知があると（ステップＳ３３）、読取部４を制御してセットされた原稿を読み込んで画情報に変換するとともに、第２のメモリ６から転送先の電話番号（ここでは通信装置２２〜２４の電話番号情報）及び自己の電話番号を送信元電話番号として読み出し、転送先電話番号から１宛先を選択し（ここでは通信装置２２）、回線インタフェース１を制御して発呼する（ステップＳ３４）。相手応答後、制御回路１０は、モデム２及びＢＦＴ制御部９を制御して、ＩＴＵ−Ｔ  Ｔ．３０バイナリファイル転送方法によって、転送・同報指示情報と、送信元電話番号と、転送先電話番号情報を送信するとともに、画情報を送信する（ステップＳ３５）。その後、回線インタフェースを制御して通信を切断する（ステップＳ３６）。
【００５０】
（２）転送先（通信装置２２〜２４）の動作：
回線インタフェース１は網からの着信を検出すると（ステップＳ３２）、制御回路１０にその旨を通知する。制御回路１０は、回線インタフェース１からの着信通知に対して、回線インタフェース１を制御して応答し（ステップＳ３７）、モデム２及びＢＦＴ制御部９を制御して転送・同報指示情報、送信元電話番号、転送先電話番号情報を受信すると（ステップＳ３８）、送信元電話番号を一旦第４のメモリ６１に記憶するとともに転送先電話番号情報を一旦第３のメモリ７に記憶し（ステップＳ３９）、続けて受信する画情報を第１のメモリ５に蓄積する（ステップＳ４０）。ちなみに、ステップＳ３８において通常のファクシミリ装置から着信したと判断したときは、ＩＴＵ−Ｔ  Ｔ．３０に準拠した伝送手順で受信動作に入り（ステップＳ４８）、ステップＳ３１に戻ればよい。
【００５１】
ステップＳ４０での画情報の蓄積後、回線インタフェース１を介して通信を切断し（ステップＳ４１）、通信終了後、第３のメモリ７から先に記憶した転送先電話番号情報を読み出して（ここでは通信装置２２〜２４の電話番号情報）、この転送先電話番号において、自己の電話番号を送信済みと認識できるように情報を加工した上で（ステップＳ４２）、未送信の転送先電話番号があるか否かを確認し（ステップＳ４３）、あれば未送信の１宛先を選択して（ここでは通信装置２３）、回線インタフェース１を制御して発呼する（ステップＳ４４）。相手応答後、モデム２及びＢＦＴ制御部９を制御して、ＩＴＵ−Ｔ  Ｔ．３０バイナリファイル転送手順によって転送・同報指示情報と、送信元電話番号と、転送先電話番号情報を送信するとともに、第１のメモリ５に蓄積された画情報を読み出して送信する（ステップＳ４５）。
【００５２】
一方、ステップＳ４３において未送信の転送先電話番号がない場合（ここでは通信装置２４があてはまる）、第４のメモリ６１から読み出した送信元電話番号に回線インタフェース１を制御して発呼し（ステップＳ４６）、モデム２及びＢＦＴ制御部９を制御して、送達確認として転送先電話番号情報を送信する（ステップＳ４７）。
【００５３】
ステップＳ４５またはＳ４７の動作の終了後、第２のメモリ６に記憶された同報送信先（通信装置２２ではファクシミリ装置２０１，２０２の電話番号）を読み出して（ステップＳ４９）、未送信の同報送信先の電話番号があるかどうかを確認し（ステップＳ５０）、ある場合には未送信の１宛先を選択して回線インタフェース１を制御して発呼し（ステップＳ５１）、相手応答後に第１のメモリ５に蓄積された画情報を読み出し、モデム２を制御してこの画情報を送信する（ステップＳ５２）。ここでは相手先が通常のファクシミリ装置であることを想定し、ＩＴＵ−Ｔ  Ｔ．３０のファクシミリ伝送手順によって画情報を送信する。送信終了後、回線インタフェース１を介して通信を切断し（ステップＳ５３）、ステップＳ５０に戻る。
【００５４】
ステップＳ５１〜Ｓ５３までの処理を、ステップＳ５０で未送信の同報送信先の電話番号がなくなるまで繰り返し、これにより、全ての未送信の同報送信先に対して発呼を試みて画情報を送信する。
【００５５】
同報送信終了後、すなわち、ステップＳ５０において未送信の同報送信先の電話番号がなくなったら、ステップＳ３１に戻る。この同報送信の終了後、第１のメモリ５に蓄積された画情報を読み出して、記録部８を制御して記録紙に記録させることによって、受信文書を出力することが可能である。
【００５６】
また、ＩＴＵ−Ｔ  Ｔ．３０バイナリファイル転送手順による転送先情報や転送・同報指示情報、送達確認の伝送については、第１の実施形態と同様であるが、転送されるべきバイナリファイルのフォーマットが異なっている。すなわち、図１０（ｂ）に示すように、転送先情報及び転送・同報指示情報を送信する場合には、ＢＦＴヘッダ部と、それに引き続く転送・同報指示情報、送信元電話番号情報及び転送先電話番号情報からなるフォーマットを使用し、送達確認を送信する場合には、ＢＦＴヘッダ部と、それに引き続く、送達確認がなされた転送先を示す転送先電話番号情報からなるフォーマットを使用する。
【００５７】
（３）送信元の送達確認受信動作：
回線インタフェース１は、着信を検出すると（ステップＳ５４）、制御回路１０に着信通知を行う。制御回路１０は、回線インタフェース１から着信通知があると、回線インタフェース１を制御して着信に応答し（ステップＳ５５）、その着信が送達確認であるかどうかを判断し（ステップＳ５６）、モデム２及びＢＦＴ制御部９を制御して、送達確認として送信される転送先電話番号情報を受信する（ステップＳ５７）。なお、送達確認を利用者（発信者）に認識させるための手段として、記録部８を制御して送達確認を記録紙にプリントするなどを行うことが可能であることはいうまでもない。また、ステップＳ５６において着信が送達確認ではない場合には、通常のファクシミリ受信手順にしたがって受信動作を行えばよい（ステップＳ５８）。
【００５８】
《第３の実施形態》
次に、本発明の第３の実施形態について説明する。この第３の実施形態では、図１１を用いて説明した第２の実施形態の通信装置と同様の通信装置を使用するが、送達確認情報ではなく、同報結果情報が伝送される点で相違する。
【００５９】
図１７は、本実施形態での送信元からの画情報（実線の矢印）や同報結果情報（破線の矢印）の伝達の流れを示したものである。ここでは、本実施形態の通信装置３１〜３４と通常のファクシミリ装置３０１〜３０６が設けられている。このうち、通信装置３１は、送信元の装置であり、通信装置３２〜３４が中継装置に相当し、ファクシミリ装置３０１〜３０６は、宛先の装置である。
【００６０】
なお、送信元である通信装置３１の第２のメモリ６には、予め転送先情報として、通信装置３２〜３４の電話番号及び自己の電話番号（ここでは通信装置３１の電話番号）を記憶させておく。また。通信装置３２の第２のメモリ６には、同報送信先として、ファクシミリ装置３０１，３０２の電話番号が、通信装置３３の第２のメモリ６には、同報送信先として、ファクシミリ装置３０３，３０４の電話番号が、通信装置３４の第２のメモリ６には、同報送信先として、ファクシミリ装置３０５，３０６の電話番号が、それぞれ、予め記憶されている。
【００６１】
以下、図１８〜図２１に示すフローチャートを用いて、本実施形態における制御回路１０の動作を説明する。
【００６２】
（１）送信元（通信装置３１）の発呼動作：
利用者（発信者）がキー３を操作して画情報の連絡指示を行うと、キー３はその旨を制御回路１０に通知する（ステップＳ６１）。制御回路１０は、キー３から連絡指示の通知があると（ステップＳ６３）、読取部４を制御してセットされた原稿を読み込んで画情報に変換するとともに、第２のメモリ６から転送先の電話番号（ここでは通信装置３２〜３４の電話番号情報）及び自己の電話番号を送信元電話番号として読み出し、転送先電話番号から１宛先を選択し（ここでは通信装置３２）、回線インタフェース１を制御して発呼する（ステップ６４）。相手応答後、制御回路１０は、モデム２及びＢＦＴ制御部９を制御して、ＩＴＵ−Ｔ  Ｔ．３０バイナリファイル転送手順によって、転送・同報指示情報と、送信元電話番号と、転送先電話番号情報を送信するとともに、画情報を送信する（ステップＳ６５）。その後、回線インタフェースを制御して通信を切断する（ステップＳ６６）。
【００６３】
（２）転送先（通信装置３２〜３４）の動作：
回線インタフェース１は、網からの着信を検出すると（ステップＳ６２）、制御回路１０にその旨を通知する。制御回路１０は、回線インタフェース１からの着信通知に対して、回線インタフェース１を制御して応答し（ステップＳ６７）、モデム２及びＢＦＴ制御部９を制御して転送・同報指示情報、送信元電話番号、転送先電話番号情報を受信すると（ステップＳ６８）、送信元電話番号を一旦第４のメモリ６１に記憶し、転送先電話番号情報を一旦第３のメモリ７に記憶するとともに（ステップＳ６９）、続けて受信する画情報を第１のメモリ５に蓄積する（ステップＳ７０）。ちなみに、ステップＳ６８において通常のファクシミリ装置から着信したと判断した場合は、ＩＴＵ−Ｔ  Ｔ．３０に準拠した伝送手順で受信動作に入り、ステップＳ６１に戻ればよい。
【００６４】
ステップＳ７０での画情報の蓄積後、回線インタフェース１を介して通信を切断し（ステップＳ７１）、通信終了後、第３のメモリ７から先に記憶した転送先電話番号情報を読み出して（ここでは通信装置３２〜３４の電話番号情報）、この転送先電話番号において、自己の電話番号を送信済みと認識できるように情報を加工した上で（ステップＳ７２）、未送信の転送先電話番号があるか否かを確認し（ステップＳ７３）、あれば未送信の１宛先を選択して（ここでは通信装置３３）、回線インタフェース１を制御して発呼する（ステップＳ７４）。相手応答後、モデム２及びＢＦＴ制御部９を制御して、ＩＴＵ−Ｔ  Ｔ．３０バイナリファイル転送手順によって、転送・同報指示情報と、送信元電話番号と、転送先電話番号情報を送信するとともに、第１のメモリ５に蓄積された画情報を読み出して送信する（ステップＳ７５）。
【００６５】
ステップＳ７５での送信終了後、またはステップＳ７３未送信の転送先電話番号がない場合（ここでは通信装置３４があてはまる）には、第２のメモリ６に記憶された同報送信先（通信装置３２ではファクシミリ装置３０１，３０２の電話番号）を読み出して（ステップＳ７７）、未送信の同報送信先の電話番号があるかどうかを確認し（ステップＳ７８）、ある場合には未送信の１宛先を選択して回線インタフェース１を制御して発呼し（ステップＳ７９）、相手応答後に、第１のメモリ５に蓄積された画情報を読み出し、モデム２を制御してこの画情報を送信する（ステップＳ８０）。ここでは相手先が通常のファクシミリであることを想定し、ＩＴＵ−Ｔ  Ｔ．３０のファクシミリ伝送手順によって画情報を送信する。送信終了後、回線インタフェース１を介して通信を切断し（ステップＳ８１）、ステップＳ７８に戻る。
【００６６】
ステップＳ７９〜Ｓ８１までの処理を、ステップＳ８０で未送信の同報送信先の電話番号がなくなるまで繰り返し、これにより、全ての未送信の同報送信先に対して発呼を試みて画情報を送信する。
【００６７】
同報送信終了後、すなわち、ステップＳ７８において未送信の同報送信先の電話番号がなくなったら、第４のメモリ６１から読み出した送信元電話番号に回線インタフェース１を制御して発呼し（ステップＳ８２）、モデム２及びＢＦＴ制御部９を制御して、同報送信の結果を同報結果情報として送信し（ステップＳ８３）、ステップＳ６１に戻る。
【００６８】
上記全ての動作終了後、第１のメモリ５に蓄積された画情報を読み出して、記録部８を制御して記録紙に記録させることによって、受信文書を出力することが可能である。
【００６９】
また、ＩＴＵ−Ｔ  Ｔ．３０バイナリファイル転送方法による転送先情報や転送・同報指示情報、同報結果情報の伝送については、第１の実施形態と同様であるが、転送されるべきバイナリファイルのフォーマットが異なっている。すなわち、図１０（ｃ）に示すように、転送先情報及び転送・同報指示情報を送信する場合には、ＢＦＴヘッダ部と、それに引き続く転送・同報指示情報、送信元電話番号情報及び転送先電話番号情報からなるフォーマットを使用し、同報結果情報を送信する場合には、ＢＦＴヘッダ部と、それに引き続く同報結果情報からなるフォーマットを使用する。
【００７０】
（３）送信元の同報結果情報受信動作：
回線インタフェース１は、着信を検出すると（ステップＳ８４）、制御回路１０に着信通知を行う。制御回路１０は、回線インタフェース１から着信通知があると、回線インタフェース１を制御して着信に応答し（ステップＳ８５）、その着信が同報結果情報であるかどうかを判断し（ステップＳ８６）、モデム２及びＢＦＴ制御部９を制御して、同報結果情報を受信する（ステップＳ８７）。なお、同報結果情報を利用者（発信者）に認識させるための手段として、記録部８を制御して同報結果情報を記録紙にプリントするなどを行うことが可能であることは、いうまでもない。また、ステップＳ８６において着信が送達確認ではない場合には、通常のファクシミリ受信手順にしたがって受信動作を行えばよい（ステップＳ８８）。
【００７１】
《第４の実施形態》
次に、本発明の第４の実施形態について説明する。図２２は、第４の実施形態の通信装置である画像電送装置の構成を示すブロック図である。
【００７２】
この画像電送装置は、図４に示したものと同様の構成のものであるが、第２のメモリ６に蓄積された転送先電話番号情報について、転送する順番を経済的に並べ替えるための転送先順番管理部６２が付加されている点で、図４に示したものと相違している。この転送先順番管理部６２は、ＣＰＵ及びＲＡＭ等のＬＳＩで実現できる。この実施形態は、第１の実施形態等での画情報の転送ルートを送信元が経済的に並べ替えるものであり、転送手順等については、上述の第１乃至第３の実施形態と同等である。
【００７３】
図２３は、この実施形態での送信元からの画情報の伝達の流れを示したものである。ここで、通信装置４１が送信元の通信装置であって上述した図２２に示す構成を有し、通信装置４２〜４７は、上述の各実施形態での転送先電話番号の通信装置に対応する。
【００７４】
送信元の通信装置４１の第２のメモリ６には、自己の電話番号と、通信装置４２〜４７の電話番号が記憶されている。転送先順番管理部６２には、市外局番による単位時間あたりの料金についての情報が予め記憶されている。
【００７５】
送信元で利用者（発信者）が連絡指示を行った場合、送信先の通信装置４１は、まず、通信料金が最低となるような転送ルートを決定する。送信元の通信装置４１が転送ルートを決定するにあたっては、第２のメモリ６から自己の電話番号及び通信装置４２〜４７の電話番号を読み出し、制御回路１０が転送先順番管理部１１を制御し、自己（通信装置４１）の電話番号からもっとも安価に転送できる相手を決定する。図２２においてもっとも安価に転送できる相手が通信装置４２，４７であったとすると、今度は、自己（通信装置４１）の電話番号と先に選択した通信装置４７の電話番号を除いて、通信装置４２から見てもっとも安価な電話番号を選択する（ここでは通信装置４３とする）。次に、通信装置４７から見て、先に選択されなかった電話番号でもっとも安価な電話番号を選択する（ここでは通信装置４６とする）。同様に、通信装置４３から見てもっとも安価な電話番号を選択し（ここでは通信装置４４とする）、通信装置４６から見て、これまでに選択されなかった電話番号でもっとも近いところ（安価なところ）の電話番号（ここでは通信装置４５）を選択する。このように、送信元から１番安価に送信できる電話番号と２番目に安価に送信できる電話番号を選択し、その後、それぞれの電話番号から見て、未選択の電話番号からもっとも安価に送信できる電話番号を探し、最終的に未選択の電話番号がなくなった時点で、送信元から１本の転送ルート（この場合、通信装置４１→４２→４３→４４→４５→４６→４７→４１）が決定される。
【００７６】
このように転送ルートが決定されたら、以後は、上述の各実施形態の手順にしたがって、転送及び同報通信処理を実行すればよい。
【００７７】
《第５の実施形態》
次に、本発明の第５の実施形態について説明する。図２４は、第５の実施形態の通信装置である画像電送装置の構成を示すブロック図である。
【００７８】
上述の第１乃至第４の実施形態では、同報送信の宛先となる電話番号（典型的には通常のファクシミリ装置である宛先の電話番号）は、中継装置たる通信装置の第２のメモリに予め格納されていた。このように中継装置たる通信装置で宛先を管理することにより、送信元では宛先を逐一管理する必要がなくなり、通信すべきデータ量を削減できるというメリットがある。その一方で、宛先に関する情報を送信元で一元的に管理したい場合もあり、また、特定の中継装置（通信装置）を転送先としたい場合もある。そこでこの実施形態では、送信元での送信の都度、転送先電話番号及び同報先電話番号を送信元で入力するようにした。このように構成することにより、内容に応じて特定の宛先のみに同報通信を行う、といった運用も可能になる。
【００７９】
図２４に示す画像電送装置は、ファクシミリ装置として構成されており、通信網に接続され、発信・着信等の呼制御を行う回線インタフェース１と、通信網を介して他の通信装置との間でＩＴＵ−Ｔ  Ｔ．３０に準拠した伝送手順により、ＩＴ  Ｕ−Ｔ  Ｔ．４やＴ１６に準拠した画情報の送受信やＩＴＵ−Ｔ  Ｔ．３０バイナリファイル転送手順によりファイル情報の送受信を行うモデム２と、宛先の登録や各種操作等を行うキー３と、原稿を読み取ってＩＴＵ−Ｔ  Ｔ．４やＴ．６の符号化方式に準拠した画情報に変換する読取部４と、画情報を蓄積する第１のメモリ５と、転送先電話番号や同報送信先電話番号を記憶する第２のメモリ６と、画情報を復号した上で記録紙に記録する記録部８と、モデム２を制御してＩＴＵ−Ｔ  Ｔ．３０バイナリファイル転送手順の制御を行うＢＦＴ（ｂｉｎａｒｙ  ｆｉｌｅ  ｔｒａｎｓｆｅｒ）制御部９と、回線インタフェース１、モデム２、読取部４、第１のメモリ５、第２のメモリ６、記録部８及びＢＦＴ制御部９を制御する制御回路１０と、から構成されている。
【００８０】
すなわち、この通信装置は、図４に示す通信装置から第３のメモリを取り去ったものに相当するが、さらに、第２のメモリ６が記憶する転送先電話番号や同報送信先電話番号の起源が異なっている。すなわち、図４に示す装置では、中継装置として使用される場合、同報送信先電話番号は予め第２のメモリ６に記憶されていることになっているが、図２４に示す本実施形態の装置では、送信元からその都度伝送されてきたものが、同報送信先電話番号（及び転送先電話番号）としして、第２のメモリ６に記憶される。
【００８１】
第１のメモリ５は、請求項５乃至７における画情報メモリに相当し、同様に、第２のメモリ６は、送信先情報メモリに相当し、ＢＦＴ制御部９は、ファイル転送手段に相当する。
【００８２】
なお、図２４に示す装置の各構成要素については、図４に示す装置における各々の構成要素と同等のもので実現可能である。また、これらの構成要素の中の複数の回路及び手段を１つのＬＳＩにまとめて構成できることはいうまでもない。
【００８３】
図２５は、この実施形態での送信元からの画情報の伝達の流れを示したものである。ここでは、図２４に示した構成の通信装置５１〜５４と通常のファクシミリ装置５０１〜５０６が設けられている。このうち、通信装置５１は、送信元の装置であり、通信装置５２〜５４が中継装置に相当し、ファクシミリ装置５０１〜５０６は、宛先の装置である。
【００８４】
次に、本実施形態の動作を説明する。図２６〜図２８は、制御回路１０の動作を示すフローチャートである。
【００８５】
（１）送信元（通信装置５１）の動作：
利用者（発信者）がキー３を操作して、転送先として通信装置５２〜５４の電話番号を指示し、かつ通信装置５２の同報送信先としてファクシミリ装置５０１，５０２の電話番号を、通信装置５３の同報送信先としてファクシミリ装置５０３，５０４の電話番号を、通信装置５４の同報送信先としてファクシミリ装置５０５，５０６の電話番号を指示した上で、連絡指示をすると、キー３はその旨を制御回路１０に通知する（ステップＳ１０１）。制御回路１０は、キー３から連絡指示の通知があると（ステップＳ１０３）、読取部４を制御してセットされた原稿を読み込んで画情報に変換するとともに、先に指示された転送先から１宛先を選択し（ここでは通信装置５２）、回線インタフェース１を制御して発呼する（ステップＳ１０４）。相手応答後、モデム２及びＢＦＴ制御部９を制御して、ＩＴＵ−Ｔ  Ｔ．３０バイナリファイル転送手順によって転送・同報指示情報と、転送先電話番号情報と、転送先番号ごとに対応させた同報送信先番号情報を送信するとともに、画情報を送信する（ステップＳ１０５）。そして、回線インタフェース１を制御して通信を切断し（ステップＳ１０６）、ステップＳ１０１に戻る。
【００８６】
（２）転送先（通信装置５２〜５４）の動作：
回線インタフェース１は網からの着信を検出すると（ステップＳ１０２）、制御回路１０にその旨を通知する。制御回路１０は、回線インタフェース１からの着信通知に対して、回線インタフェース１を制御して応答し（ステップＳ１０７）、モデム２及びＢＦＴ制御部９を制御して転送・同報指示情報、転送先電話番号情報及び同報送信先番号情報を受信すると（ステップＳ１０８）、転送先電話番号情報と同報送信先番号情報を一旦第２のメモリ６に記憶するとともに（ステップＳ１０９）、続けて受信する画情報を第１のメモリ５に蓄積する（ステップＳ１１０）。ちなみに、ステップＳ１０８において転送・同報指示情報、転送先電話番号情報及び同報送信先番号情報を受信せず、通常のファクシミリから着信したと判断した場合は、ＩＴＵ−Ｔ  Ｔ．３０に準拠した伝送手順で受信動作に入り（ステップＳ１０６）、その後、ステップＳ１０１に戻ればよい。
【００８７】
ステップＳ１１０での画情報の蓄積後、回線インタフェース１を介して通信を切断し（ステップＳ１１１）、通信終了後、第２のメモリ６から先に記憶した転送先電話番号情報を読み出して（ここでは通信装置５２〜５４の電話番号情報）、自己の電話番号を送信済みと認識できるように情報を加工した上で（ステップＳ１１２）、未送信の転送先電話番号があるか否かを確認し（ステップＳ１１３）、あれば未送信の１宛先を選択して（ここでは通信装置５３）、回線インタフェース１を制御して発呼する（ステップＳ１１４）。相手応答後、モデム２及びＢＦＴ制御部９を制御して、ＩＴＵ−Ｔ  Ｔ．３０バイナリファイル転送手順によって、転送・同報指示情報及び転送先電話番号情報ともに第２のメモリ６から同報送信先番号情報を読み出して送信するとともに、第１のメモリ５に蓄積された画情報を送信する（ステップＳ１１５）。
【００８８】
ステップＳ１１５での送信の終了後、またはステップＳ１１３で未送信の転送先電話番号がない場合（ここでは通信装置１４があてはまる）、第２のメモリ６に記憶された同報送信先番号情報を読み出し（ステップＳ１１７）、このうち自己の電話番号に対応して指定されている同報送信先の電話番号（ここではファクシミリ装置５０１，５０２の電話番号）を認識し（ステップＳ１１８）、自己に対応している同報送信先の電話番号のうち、未送信の同報送信先の電話番号があるかどうかを確認する（ステップＳ１１９）。未送信の同報送信先の電話番号がある場合には、未送信の１宛先を選択して回線インタフェース１を制御して発呼し（ステップＳ１２０）、相手応答後に第１のメモリ５に蓄積された画情報を読み出して送信する（ステップＳ１２１）。ここでは相手先が通常のファクシミリであることを想定し、ＩＴＵ−Ｔ  Ｔ．３０のファクシミリ伝送手順によって画情報を送信する。送信終了後、回線インタフェース１を介して通信を切断し（ステップＳ１２２）、ステップＳ１１９に戻る。
【００８９】
ステップＳ１２０〜Ｓ１２２までの処理を、ステップＳ１１９で未送信の同報送信先の電話番号がなくなるまで繰り返し、これにより、全ての未送信の同報送信先に対して発呼を試みて画情報を送信する。
【００９０】
同報送信終了後、すなわち、ステップＳ１１９において未送信の同報送信先の電話番号がなくなったら、ステップＳ１０１に戻る。その後、第１のメモリ５に蓄積された画情報を読み出して、記録部８を制御して記録紙に記録させることによって、受信文書を出力することが可能である。
【００９１】
次に、ＩＴＵ−Ｔ  Ｔ．３０バイナリファイル転送手順による転送先情報や同報送信先番号情報や転送・同報指示情報の伝送について、図２９及び図３０を用いて説明する。
【００９２】
図９を用いて説明した場合と同様に、受信側の通信装置においてＩＴＵ−Ｔ  Ｔ．３０バイナリファイル転送手順による伝送能力がある場合、まずフェーズＢにおいてＤＩＳ信号のビット５３を“１”に設定してバイナリファイル転送能力ありを示す。送信側はＤＣＳ信号のビット５３を“１”に設定し、バイナリファイル転送を行う旨を受信側に通知する。そして、フェーズＣにおいて、図３０（ａ）に示すようなフォーマット、すなわち、ＩＴＵ−Ｔ  Ｔ．４３４に準拠したＢＦＴヘッダ部と、それに引き続く転送・同報指示情報、転送先電話番号情報及び同報送信先番号情報とからなるフォーマットのバイナリファイルが送信される。同報送信先番号情報の内訳の一例は、図３０（ｄ）に示すようなものである。
【００９３】
ここで、ＩＴＵ−Ｔ．３０に規定された非標準手順（ＮＳＦ，ＮＳＳ）を利用してもよいことはいうまでもない。なお、画情報については、各種情報伝送の後、通常のＩＴＵ−Ｔ  Ｔ．３０伝送手順で送信してもよいし、画情報自体をＩＴＵ−Ｔ  Ｔ．３０バイナリファイル転送方法で転送してもよい。
【００９４】
以上、本発明の第５の実施形態について説明したが、この第５の実施形態の変形例として、上述の第２の実施形態のように送達確認の伝送を行ったり、第３の実施形態のように同報結果情報の伝送を行ったりすることも可能である。図３１は、これらの場合の通信装置の構成を示すブロック図であり、図２４に示す通信装置に対して、第２の実施形態や第３の実施形態の装置での第４のメモリに相当するメモリ６３が付加された構成となっている。
【００９５】
メモリ６３は、請求項６、７における送信元アドレス情報メモリに相当する。
【００９６】
送達確認の伝送を伴う場合、あるいは同報結果情報の伝送を伴う場合のこの変形例における制御回路１０の動作は、上述した第５の実施形態での動作説明に、第２あるいは第３の実施形態での動作説明を加味することによって、当業者が容易に理解できるものであるから、ここでは動作の説明を繰り返さず、転送されるべきバイナリファイルのフォーマットだけを説明する。
【００９７】
送達情報の伝送を実施する構成の場合、図３０（ｂ）に示すように、転送先情報及び転送・同報指示情報を送信するときには、ＢＦＴヘッダ部と、それに引き続く転送・同報指示情報、送信元電話番号情報、転送先電話番号情報及び同報送信先番号情報からなるフォーマットを使用し、送達確認を送信するときには、ＢＦＴヘッダ部と、それに引き続く、送達確認がなされた転送先を示す転送先電話番号情報からなるフォーマットを使用する。
【００９８】
また、同報結果情報の伝送を実施する構成の場合、図３０（ｃ）に示すように、転送先情報及び転送・同報指示情報を送信するときには、ＢＦＴヘッダ部と、それに引き続く転送・同報指示情報、送信元電話番号情報、転送先電話番号情報及び同報送信先番号情報からなるフォーマットを使用し、同報結果情報を送信するときには、ＢＦＴヘッダ部と、それに引き続く同報結果情報からなるフォーマットを使用する。
【００９９】
【発明の効果】
以上説明したように本発明によれば、同一の画情報を複数の宛先に送信する場合、中継装置の数がいくら増加しても送信元はただの１カ所にのみ発呼して画情報と宛先情報を送信すればよいため、送信元の通信コスト及び通信占有時間が激減するという効果が生じる。これにより、頻繁に通信の割り込みが発生するような事業所等が送信元であっても、本発明の画像電送装置を安心して利用することが可能になる。また、宛先情報等をＩＴＵ−Ｔ  Ｔ．３０バイナリファイル転送によって送信するため、ファクシミリを伝送するための規定であるＩＴＵ−Ｔ  Ｔ．３０に準拠した伝送手段を搭載していれば容易に本発明の画像電送装置をインプリメント可能でかつ装置コストも抑えることが可能である。
【０１００】
さらに、請求項２，３，６，７に示す構成とすることにより、送信元で画情報の送達確認を容易に行うことができるようになり、請求項４に示す構成とすることにより、利用者（発信者）が転送先の順序を気にすることなく、安価な通信コストで転送されるようなルートが自動的に設定されるようになる。
【図面の簡単な説明】
【図１】順次同報送信を説明する図である。
【図２】中継同報送信を説明する図である。
【図３】中継装置が複数ある場合の中継同報送信を説明する図である。
【図４】本発明の第１の実施形態の画像電送装置である通信装置の構成を示すブロック図である。
【図５】第１の実施形態における各通信装置の配置及び転送ルートを説明する図である。
【図６】第１の実施形態における制御回路の動作を説明するフローチャートである。
【図７】第１の実施形態における制御回路の動作を説明するフローチャートである。
【図８】第１の実施形態における制御回路の動作を説明するフローチャートである。
【図９】ＩＴＵ−Ｔ  Ｔ．３０のバイナリファイル転送を利用した伝送方法を説明するシーケンス図である。
【図１０】（ａ）〜（ｃ）は、伝送されるバイナリファイルの構成を示す図である。
【図１１】本発明の第２の実施形態の画像電送装置である通信装置の構成を示すブロック図である。
【図１２】第２の実施形態における各通信装置の配置及び転送ルートを説明する図である。
【図１３】第２の実施形態における制御回路の動作を説明するフローチャートである。
【図１４】第２の実施形態における制御回路の動作を説明するフローチャートである。
【図１５】第２の実施形態における制御回路の動作を説明するフローチャートである。
【図１６】第２の実施形態における制御回路の動作を説明するフローチャートである。
【図１７】第３の実施形態における各通信装置の配置及び転送ルートを説明する図である。
【図１８】第３の実施形態における制御回路の動作を説明するフローチャートである。
【図１９】第３の実施形態における制御回路の動作を説明するフローチャートである。
【図２０】第３の実施形態における制御回路の動作を説明するフローチャートである。
【図２１】第３の実施形態における制御回路の動作を説明するフローチャートである。
【図２２】本発明の第４の実施形態の画像電送装置である通信装置の構成を示すブロック図である。
【図２３】第４の実施形態における各通信装置の配置及び転送ルートを説明する図である。
【図２４】本発明の第５の実施形態の画像電送装置である通信装置の構成を示すブロック図である。
【図２５】第５の実施形態における各通信装置の配置及び転送ルートを説明する図である。
【図２６】第５の実施形態における制御回路の動作を説明するフローチャートである。
【図２７】第５の実施形態における制御回路の動作を説明するフローチャートである。
【図２８】第５の実施形態における制御回路の動作を説明するフローチャートである。
【図２９】第５の実施形態における、ＩＴＵ−Ｔ  Ｔ．３０のファイル転送を利用した伝送方法を説明するシーケンス図である。
【図３０】（ａ）〜（ｃ）は、伝送されるバイナリファイルの構成を示す図、（ｄ）は同報送信先番号情報の内訳の一例を示す図である。
【図３１】第５の実施形態の変形例の画像電送装置である通信装置の構成を示すブロック図である。
【符号の説明】
１    回線インタフェース
２    モデム
３    キー
４    読取部
５    第１のメモリ
６    第２のメモリ
７    第３のメモリ
８    記録部
９    ＢＦＴ制御部
１０    制御回路
１１〜１４，２１〜２４，３１〜３４，４１〜４７，５１〜５４    通信装置
６１    第４のメモリ
６２    転送先順番管理部
６３    メモリ
１０１〜１０６，２０１〜２０６，３０１〜３０６，５０１〜５０６    ファクシミリ装置
【図１】
0003547043.tif 000002
【図２】
0003547043.tif 000003
【図３】
0003547043.tif 000004
【図４】
0003547043.tif 000005
【図５】
0003547043.tif 000006
【図６】
0003547043.tif 000007
【図７】
0003547043.tif 000008
【図８】
0003547043.tif 000009
【図９】
0003547043.tif 000010
【図１０】
0003547043.tif 000011
【図１１】
0003547043.tif 000012
【図１２】
0003547043.tif 000013
【図１３】
0003547043.tif 000014
【図１４】
0003547043.tif 000015
【図１５】
0003547043.tif 000016
【図１６】
0003547043.tif 000017
【図１７】
0003547043.tif 000018
【図１８】
0003547043.tif 000019
【図１９】
0003547043.tif 000020
【図２０】
0003547043.tif 000021
【図２１】
0003547043.tif 000022
【図２２】
0003547043.tif 000023
【図２３】
0003547043.tif 000024
【図２４】
0003547043.tif 000025
【図２５】
0003547043.tif 000026
【図２６】
0003547043.tif 000027
【図２７】
0003547043.tif 000028
【図２８】
0003547043.tif 000029
【図２９】
0003547043.tif 000030
【図３０】
0003547043.tif 000031
【図３１】
0003547043.tif 000032